(57)【要約】【課題】無線通信システムにおいて、一般の無線移動局から音声通話に優先してファクシミリ電送を行なうことが可能な通信方法を提供すること。【解決手段】無線通信システムにおいて提供する、ファクシミリ電送を含む通信サービスに優先順を設定し、その優先順に対応して通信サービスを行なう。音声通話中の一般の無線移動局へ別の一般の無線移動局からファクシミリ電送を行なう場合に、優先順の低い音声通話を中止する。【選択図】  図２
2004282536.tif 000002
【特許請求の範囲】
【請求項１】
基地局と、該基地局に接続される複数の移動無線局とからなる無線通信システムにおいて通信サービスを実施するための通信方法であって、通信体系毎に優先順を設け、その優先順により通信サービス対象の通信体系を決定することを特徴とする通信方法。
【発明の詳細な説明】
【０００１】
【発明の属する技術分野】
本発明は、複数の無線移動局に通信サービスを提供する無線通信システムにおいて、音声通話に加えて、ファクシミリ電送やパソコン通信等の非音声通話のサービスを行なう場合の通信方法に関する。
【０００２】
【従来の技術】
基地局に複数の移動局が無線で結ばれ、基地局と移動局の間、或いは基地局を介して移動局間で通信を行なう無線通信システムにおいて、音声通話の通信サービスの他、ファクシミリ電送やパソコン通信等の非音声通話の通信サービスの提供が広く行なわれている。その場合、基地局及び移動局に音声通話のための通信装置に加えてファクシミリ装置やパソコンが備えられる。音声通話は無線回線を介して行なわれるが、ファクシミリ電送は、無線回線の他、有線の加入者回線を通して行なわれる場合がある。そのような無線通信システムの標準仕様の例として、（社）電波産業会策定のＳＴＤ−Ｔ７９がある。
【０００３】
従来、例えばアナログ方式の無線通信システムで実現していた方式では、加入者回線でファクシミリを送信中又は受信中に、無線回線からファクシミリ電送の受信が開始されると、加入者回線で電送していたファクシミリ送信又は受信を中断し、無線回線からのファクシミリ受信を優先させて実行していた。
【０００４】
また、ディジタル方式の無線通信システムの例においては、ある限定された特定局からのみ実施可能なサービスの優先度が設けられ、例えば、音声通話中の無線移動局に対してその音声通話を中断し、その特定局からのファクシミリ電送を開始していた。
【０００５】
【発明が解決しようとする課題】
前述の従来技術では、音声通話中の無線移動局に対しその音声通話を中断してファクシミリ電送を開始することは、ある限定された特定局にのみ可能であり、一般の無線移動局ではこのような優先度を設けたファクシミリ電送を開始することができない。
【０００６】
また、一般の無線移動局から同時に複数の局に対してファクシミリ電送を行なうことについての配慮がされていなかったため、音声通話中の局はファクシミリ電送を受信することができないという問題がある。
【０００７】
音声通話やファクシミリ電送、パソコン通信は、それぞれが通信体系を成している。本発明の目的は、無線通信システムにおいて、一般の無線移動局からある通信体系に優先して別の通信体系を行なうことが可能な通信方法を提供することにある。例えば、一般の無線移動局から音声通話に優先してファクシミリ電送を行なうことが可能な通信方法を提供することにある。
【０００８】
【課題を解決するための手段】
本発明の上記課題は、通信体系により優先順を設け、その優先順によりサービス対象の通信体系を決定することにより、効果的に解決することが可能である。例えば、一般の無線移動局から音声通話に優先してファクシミリ電送を行なうことが可能な通信方法を提供する課題に対しては、音声通話に加えてファクシミリ電送を含む通信サービスに優先順を設け、その優先順に対応して通信サービスを行なうことにより効果的に解決することができる。
【０００９】
優先順は一般の無線移動局に対しても適用されるので、例えば、特殊な音声電話及び特殊なファクシミリ電送に対して高い優先順を与えておけば、一般の無線移動局が通常の音声電話に優先して特殊なファクシミリ電送を行なうことが可能になる。
【００１０】
【発明の実施の形態】
以下、本発明に係る無線通信システムにおける通信方法を図面に示した発明の実施の形態を参照して更に詳細に説明する。
【００１１】
図１に、本発明の通信方法を実施するための無線通信システムの例を示す。図１において、１〜５は無線移動局、１１〜１５は無線移動局１〜５に接続されたファクシミリアダプタ、２１〜２５はファクシミリアダプタ１１〜１５に接続されたファクシミリ装置、５０は無線基地局、５１は無線基地局５０に接続された通信機、５２は無線基地局５０に接続されたファクシミリアダプタ、５３はファクシミリアダプタ５２に接続されたファクシミリ装置、７０は無線基地局５０の無線ゾーン、８０は各ファクシミリアダプタを接続する加入者回線網を表している。また、無線移動局３〜５は、グループ３０に属している。
【００１２】
本実施形態では、本無線通信システムで提供される通信サービスに優先順が設定される。図２に、提供される通信サービスの種類、それらサービス毎に設定される優先順、及びそのサービスの操作起動を行なえるサービス対象局を示している。サービス対象局については、例えば、無線基地局５０の通信機５１は、災害通報のような最も特殊な音声通話を操作起動することができるが、無線移動局１〜５は、そのような最も特殊な音声通話を操作起動することができない。
【００１３】
無線基地局５０及び無線移動局１〜５は、それぞれ図２の提供サービステーブルを備えている。無線基地局５０の動作手順及び無線移動局無線移動局１〜５の動作手順が提供サービステーブルによってプログラミングされ、無線基地局５０及び無線移動局１〜５は、同プログラミングに従って動作する。
【００１４】
以下、本実施形態による動作について説明する。無線通信システムは（社）電波産業会策定の標準仕様ＳＴＤ−Ｔ７９に準拠しているが、本発明は、それに限定されない。
【００１５】
無線通信システムにおいて、通信機５１、ファクシミリ５３、無線移動局１、無線移動局３、無線移動局５、ファクシミリ２１〜２５が待受け状態で、無線移動局２と無線移動局４が通常の個別音声通話を行なっているとし、その最中に、ファクシミリ２５から同じグループ３０の無線移動局３，４に対して同時に特殊なファクシミリ電送を起動したとする。
【００１６】
無線基地局５０は、提供サービステーブルを参照することにより、無線移動局２と無線移動局４が行なっている個別音声通話を切断する。そして、ファクシミリ２５からグループ３０の無線移動局３，４に対するファクシミリ電送を開始させる。それにより、無線移動局３に接続されているファクシミリ２３の他、無線移動局４に接続されているファクシミリ２４もファクシミリ２５からのファクシミリ電送を受信することができる。
【００１７】
なお、無線基地局５０は、無線移動局２には個別音声通話を中止したことに対する理由表示を行なう。即ち、本発明では、通信体系が中断されたとき、その中断に対する理由を中断メッセージとして利用者に認知させる。
【００１８】
以上により、一般の無線移動局から音声通話に優先してファクシミリ電送を行なうことが可能になり、従って、一般の無線移動局から同時に複数の局に対してファクシミリ電送を行なう場合に、音声通話中の局もファクシミリ電送を受信することが可能になる。
【００１９】
【発明の効果】
本発明によれば、無線通信システムで提供するサービスに優先順を設けることにより、その優先順に従って通信サービスを提供することで、音声通話中の局でもファクシミリ電送の受信が可能となる。
【図面の簡単な説明】
【図１】本発明に係る無線通信システムの通信方法を実施するための無線通信システムを説明するためのシステム構成図。
【図２】本発明に係る無線通信システムの通信方法の発明の実施の形態を説明するための図。
【符号の説明】
１〜５…無線移動局、１１〜１５…ファクシミリアダプタ、２１〜２５…ファクシミリ装置、３０…無線移動局３〜５が属するグループ、５０…無線基地局、５１…通信機、５２：ファクシミリアダプタ、５３…ファクシミリ装置、７０…無線基地局５０の無線ゾーン、８０…加入者回線網。
【図１】
2004282536.tif 000003
【図２】
2004282536.tif 000004